(57)【要約】【課題】  マルチフィルムを敷設した圃場で効率よく野菜を収穫するとともに、野菜の茎葉部を引き起こす引起しラグを容易に交換できる野菜収穫機を提供する。【解決手段】  機体フレームの一側に野菜を圃場面から引き抜く引抜搬送装置を設け、引抜搬送装置の搬送始端側に野菜の茎葉部を引き起こす左右の第１引起し装置及び中央の第２引起し装置を設け、第１引起し装置及び第２引起し装置に引起し作用部が着脱自在な引起しラグを設け、第２引起し装置の左右両側に第２引起し装置よりも先行して野菜の茎葉部を引き起こす中央の第２補助引起し装置を設け、第１引起し装置の内側に第１引起し装置よりも先行して野菜の茎葉部を引き起こす第１補助引起し装置を着脱自在に設け、第１補助引起し装置及び第２補助引起し装置に引起し作用部が着脱自在な補助引起しラグを弾性体を取り付けて構成する。【選択図】  図５
2010051244.tif 000002
【特許請求の範囲】
【請求項１】
機体フレーム（１）の左右一側に野菜（Ｏ）を圃場面から引き抜く引抜搬送装置（４９Ｌ，４９Ｒ）を設け、該引抜搬送装置（４９Ｌ，４９Ｒ）の搬送始端側に野菜（Ｏ）の茎葉部を引き起こす左右の第１引起し装置（６４Ｌ，６４Ｒ）及び中央の第２引起し装置（６４Ｃ）を設け、該第２引起し装置（６４Ｃ）の左右両側に第２引起し装置（６４Ｃ）よりも先行して野菜（Ｏ）の茎葉部を引き起こす中央の第２補助引起し装置（１３７ＣＬ，１３７ＣＲ）を設け、前記第１引起し装置（６４Ｌ，６４Ｒ）の内側に第１引起し装置（６４Ｌ，６４Ｒ）よりも先行して野菜（Ｏ）の茎葉部を引き起こす第１補助引起し装置（１３７Ｌ，１３７Ｒ）を着脱自在に設け、前記第１補助引起し装置（１３７Ｌ，１３７Ｒ）及び第２補助引起し装置（１３７ＣＬ，１３７ＣＲ）の補助引起しラグ（６３ｙ）を弾性体で構成したことを特徴とする野菜収穫機。
【請求項２】
前記第１引起し装置（６４Ｌ，６４Ｒ）及び第２引起し装置（６４Ｃ）に内装される引起し無端帯（５９）に引起しラグ（６３ｘ）の第１基部（６３ｂ）を取り付け、該第１基部（６３ｂ）に対して引起しラグ（６３ｘ）の先端部側の第１引起し作用部（６３ａａ）を着脱自在に構成し、前記第１補助引起し装置（１３７Ｌ，１３７Ｒ）及び第２補助引起し装置（１３７ＣＬ，１３７ＣＲ）に内装する補助引起し無端体（１３６Ｌ，１３６Ｒ，１３６ＣＬ，１３６ＣＲ）に補助引起しラグ（６３ｙ）の第２基部（６３ｂ）を取り付け、該第２基部（６３ｂ）に対して補助引起しラグ（６３ｙ）の先端部側の第２引起し作用部（６３ａｂ）を着脱自在に構成したことを特徴とする請求項１記載の野菜収穫機。
【請求項３】
前記補助引起し無端体（１３６Ｌ，１３６Ｒ，１３６ＣＬ，１３６ＣＲ）を内装する補助引起しケース（１３３Ｌ，１３３Ｒ，１３３ＣＬ，１３３ＣＲ）からの補助引起しラグ（６３ｙ）の突出長さを、引起し無端帯（５９）を内装する引起しケース（６２Ｌ，６２Ｒ，６２Ｃ）からの引起しラグ（６３ｘ）の突出長さよりも長くしたことを特徴とする請求項１及び２記載の野菜収穫機。
【請求項４】
前記第１補助引起し装置（１３７Ｌ，１３７Ｒ）を、第１引起し装置（６４Ｌ，６４Ｒ）の外側に設けたことを特徴とする請求項１記載の野菜収穫機。
【発明の詳細な説明】
【技術分野】
【０００１】
本発明は、マルチフィルムを敷設した圃場や露地圃場に植生する玉葱等の野菜を収穫する野菜収穫機に関するものである。
【背景技術】
【０００２】
従来、玉葱等を収穫する野菜収穫機としては、特許文献１に示されるように、マルチフィルムを敷設した圃場に植生する野菜の茎葉部を複数の茎葉引起し装置に設けた複数の引起しラグで引き起こし、引き起こした茎葉部を複数の引抜搬送装置で挟持して野菜を引き抜き収穫し、茎葉部を切断して回収するものがある。
【特許文献１】特開２００７−３１９０２５号公報
【発明の開示】
【発明が解決しようとする課題】
【０００３】
しかしながら、特許文献１に示される野菜収穫機は、茎葉引起し装置の引起しラグが硬質の樹脂部材のみで構成されているため、引起しラグがマルチフィルムに接触するとマルチフィルムを破ってしまうという問題点がある。
【０００４】
また、引起しラグは引起し装置のチェーンに直接基部側を取り付けているため、破損した引起しラグを交換する際、カバーや周辺の部品を取り外す必要があり、メンテナンスに手間がかかるという問題点がある。
【課題を解決するための手段】
【０００５】
本発明は、上記の課題を解決するために次の技術的手段を講じた。
請求項１記載の発明は、機体フレーム（１）の左右一側に野菜（Ｏ）を圃場面から引き抜く引抜搬送装置（４９Ｌ，４９Ｒ）を設け、該引抜搬送装置（４９Ｌ，４９Ｒ）の搬送始端側に野菜（Ｏ）の茎葉部を引き起こす左右の第１引起し装置（６４Ｌ，６４Ｒ）及び中央の第２引起し装置（６４Ｃ）を設け、該第２引起し装置（６４Ｃ）の左右両側に第２引起し装置（６４Ｃ）よりも先行して野菜（Ｏ）の茎葉部を引き起こす中央の第２補助引起し装置（１３７ＣＬ，１３７ＣＲ）を設け、前記第１引起し装置（６４Ｌ，６４Ｒ）の内側に第１引起し装置（６４Ｌ，６４Ｒ）よりも先行して野菜（Ｏ）の茎葉部を引き起こす第１補助引起し装置（１３７Ｌ，１３７Ｒ）を着脱自在に設け、前記第１補助引起し装置（１３７Ｌ，１３７Ｒ）及び第２補助引起し装置（１３７ＣＬ，１３７ＣＲ）の補助引起しラグ（６３ｙ）を弾性体で構成したことを特徴とする野菜収穫機とした。
【０００６】
従って、左右の第１補助引起し装置（１３７Ｌ，１３７Ｒ）及び中央の第２補助引起し装置（１３７ＣＬ，１３７ＣＲ）によって圃場面から野菜（Ｏ）の茎葉部を引き起こし、第１補助引起し装置（１３７Ｌ，１３７Ｒ）及び第２補助引起し装置（１３７ＣＬ，１３７ＣＲ）によって引き起こされた茎葉部を左右の第１引起し装置（６４Ｌ，６４Ｒ）及び中央の第２引起し装置（６４Ｃ）で引き継ぎ、引抜搬送装置（４９Ｌ，４９Ｒ）に茎葉部を円滑に挟持させる。
【０００７】
また、第２引起し装置（６４Ｃ）の左右両側に第２補助引起し装置（１３７ＣＬ，１３７ＣＲ）を設け、第１引起し装置（６４Ｌ，６４Ｒ）の内側に第２補助引起し装置（１３７Ｌ，１３７Ｒ）を設けたことによって、野菜（Ｏ）に近い位置の茎葉部を持ち上げることができる。
【０００８】
そして、第１補助引起し装置（１３７Ｌ，１３７Ｒ）及び第２補助引起し装置（１３７ＣＬ，１３７ＣＲ）に補助引起しラグ（６３ｙ）を設けたことによって、茎葉部を引き起こす際に補助引起しラグ（６３ｙ）がマルチフィルムに接触しても、補助引起しラグ（６３ｙ）が変形するので、マルチフィルムが破られにくくなる。
【０００９】
請求項２記載の発明は、前記第１引起し装置（６４Ｌ，６４Ｒ）及び第２引起し装置（６４Ｃ）に内装される引起し無端帯（５９）に引起しラグ（６３ｘ）の第１基部（６３ｂ）を取り付け、該第１基部（６３ｂ）に対して引起しラグ（６３ｘ）の先端部側の第１引起し作用部（６３ａａ）を着脱自在に構成し、前記第１補助引起し装置（１３７Ｌ，１３７Ｒ）及び第２補助引起し装置（１３７ＣＬ，１３７ＣＲ）に内装する補助引起し無端体（１３６Ｌ，１３６Ｒ，１３６ＣＬ，１３６ＣＲ）に補助引起しラグ（６３ｙ）の第２基部（６３ｉ）を取り付け、該第２基部（６３ｂ）に対して補助引起しラグ（６３ｙ）の先端部側の第２引起し作用部（６３ａｂ）を着脱自在に構成したことを特徴とする請求項１記載の野菜収穫機とした。
【００１０】
従って、引起しラグ（６３ｘ）と補助引起しラグ（６３ｙ）は、先端部側の第１引起し作用部（６３ａａ）及び第２引起し作用部（６３ａｂ）が摩耗または破損した際に、第１引起し作用部（６３ａａ）及び第２引起し作用部（６３ａｂ）だけを交換することができる。
【００１１】
請求項３記載の発明は、前記補助引起し無端体（１３６Ｌ，１３６Ｒ，１３６ＣＬ，１３６ＣＲ）を内装する補助引起しケース（１３３Ｌ，１３３Ｒ，１３３ＣＬ，１３３ＣＲ）からの補助引起しラグ（６３ｙ）の突出長さを、引起し無端帯（５９）を内装する引起しケース（６２Ｌ，６２Ｒ，６２Ｃ）からの引起しラグ（６３ｘ）の突出長さよりも長くしたことを特徴とする請求項１及び２記載の野菜収穫機とした。
【００１２】
従って、補助引起しラグ（６３ｙ）が引起しラグ（６３ｘ）よりも先行して茎葉部に接触するので、野菜（Ｏ）の茎葉部を引き起こす際にマルチフィルムが破られにくくなる。
また、補助引起しラグ（６３ｙ）によって引き起こされた茎葉部を、引起しラグ（６３ｘ）が引き継いで引き起こすので、茎葉部が第１引起し装置（６４Ｌ，６４Ｒ）及び第２引起し装置（６４Ｃ）や第１補助引起し装置（１３７Ｌ，１３７Ｒ）及び第２補助引起し装置（１３７ＣＬ，１３７ＣＲ）から脱落するのを防止することができる。
【００１３】
請求項４記載の発明は、前記第１補助引起し装置（１３７Ｌ，１３７Ｒ）を、第１引起し装置（６４Ｌ，６４Ｒ）の外側に設けたことを特徴とする請求項１記載の野菜収穫機とした。
【００１４】
従って、第１引起し装置（６４Ｌ，６４Ｒ）の前部左右両側に第１補助引起し装置（６４Ｌ，６４Ｒ）を設け、第１引起し装置（６４Ｌ，６４Ｒ）の外側に第１補助引起し装置（１３７Ｌ，１３７Ｒ）を夫々設けたことによって、野菜（Ｏ）から離間した位置の茎葉部を持ち上げることができる。
【発明の効果】
【００１５】
請求項１記載の発明によれば、左右の第１補助引起し装置（１３７Ｌ，１３７Ｒ）及び中央の第２補助引起し装置（１３７ＣＬ，１３７ＣＲ）に引き起こされた茎葉部を左右の第１引起し装置（６４Ｌ，６４Ｒ）及び中央の第２引起し装置（６４Ｃ）で引き継いで引抜搬送装置（４９Ｌ，４９Ｒ）に茎葉部を確実に挟持させることができるので、引抜搬送装置（４９Ｌ，４９Ｒ）が茎葉部を掴み損ないにくくなり、野菜（Ｏ）の抜き残しが減少するので、野菜（Ｏ）の収穫作業能率が向上する。
【００１６】
また、第１引起し装置（６４Ｌ，６４Ｒ）の前側内側に第１補助引起し装置（１３７Ｌ，１３７Ｒ）を設けたことによって、左右の第１補助引起し装置（１３７Ｌ，１３７Ｒ）に設ける弾性体で構成する補助引起しラグ（６３ｙ）は、野菜（Ｏ）に近い茎葉部を持ち上げることができるので、引き起こす際に茎葉部に強い抵抗力がかかっても、茎葉部は千切れる前に補助引起しラグ（６３ｙ）から脱落する前に引抜搬送装置（４９Ｌ，４９Ｒ）に引き継がれるため、野菜（Ｏ）の茎葉部を円滑に引抜搬送装置（４９Ｌ，４９Ｒ）で挟持することができ、収穫作業を円滑に行える。
【００１７】
そして、補助引起しラグ（６３ｙ）で茎葉部を引き起こすことによって、引き起こしの際に補助引起しラグ（６３ｙ）がマルチフィルムに接触しても補助引起しラグは（６３ｙ）は圧力に応じて変形するため、マルチフィルムが破れることを防止できるので、破れたマルチフィルムが第１引起し装置（６４Ｌ，６４Ｒ）及び第２引起し装置（６４Ｃ）や第１補助引起し装置（１３７Ｌ，１３７Ｒ）及び第２補助引起し装置（１３７ＣＬ，１３７ＣＲ）や引抜搬送装置（４９Ｌ，４９Ｒ）に巻き込まれて詰まってしまうことにより、作業が中断されることがなくなり、作業能率が向上する。
【００１８】
請求項２記載の発明の効果は、請求項１記載の発明の効果に加え、引起しラグ（６３ｘ）と補助引起しラグ（６３ｙ）の先端部だけを交換することができるので、作業者は第１引起し装置（６４Ｌ，６４Ｒ）及び第１引起し装置（６４Ｃ）や第１補助引起し装置（１３７Ｌ，１３７Ｒ）及び第１補助引起し装置（１３７ＣＬ，１３７ＣＲ）を分解することなく引起しラグ（６３ｘ）の第１引起し作用部（６３ａａ）と補助引起しラグ（６３ｙ）の第２引起し作用部（６３ａｂ）を新しいものに交換することができ、メンテナンス作業の能率が向上する。
【００１９】
請求項３記載の発明の効果は、請求項１及び２記載の発明の効果に加え、補助引起しラグ（６３ｙ）が引起し体（６３ｘ）よりも先行して野菜（Ｏ）の茎葉部を引き起こすことができるので、マルチフィルム上に茎葉部が倒伏していても、マルチフィルムを破ることなく補助引起しラグ（６３ｙ）で引き起こして引起しラグ（６３ｘ）に茎葉部を引き継がせることができ、収穫作業の能率が向上する。
【００２０】
また、補助引起しラグ（６３ｙ）で野菜（Ｏ）の茎葉部を引き起こして引起しラグ（６３ｘ）に引き継がせることにより、茎葉部が第１引起し装置（６４Ｌ，６４Ｒ）及び第２引起し装置（６４Ｃ）や第１補助引起し装置（１３７Ｌ，１３７Ｒ）及び第２補助引起し装置（１３７ＣＬ，１３７ＣＲ）から脱落することを防止できるので、引抜搬送装置（４９Ｌ，４９Ｒ）が茎葉部を掴み損ないにくくなり、収穫作業の能率をさらに向上させることができる。
【００２１】
請求項４記載の発明の効果は、請求項１記載の発明の効果に加え、第１引起し装置（６４Ｌ，６４Ｒ）の外側に第１補助引起し装置（１３７Ｌ，１３７Ｒ）を夫々設けたことによって、野菜（Ｏ）から離間した位置の茎葉部を持ち上げることができるので、茎葉部を軽い力で引き起こすことができ、茎葉部にかかる抵抗力が小さくなるため、茎葉部がちぎれて補助引起しラグ（６３ｙ）から脱落することがなくなり、確実に引抜搬送装置（４９Ｌ，４９Ｒ）で野菜（Ｏ）の茎葉部を挟持し、収穫作業を円滑に行うことができる。
【発明を実施するための最良の形態】
【００２２】
まず、走行車体Ａについて説明する。
図１〜図４、図１１〜図１６で示すように、メインフレーム１の前部左右一側にアッパーフレーム２を該メインフレーム１よりも上方に取り付け、アッパーフレーム２の前部に操縦カバー３を取り付ける。そして、該操縦カバー３よりも機体後側に機体の操縦者が搭乗する操縦席４を取り付け、該操縦席４の下方に駆動力を供給するエンジン５と、該エンジン５の駆動力を機体各部に伝動するミッションケース６とを取り付ける。また、前記操縦カバー３に機体を左右旋回動作させる左右旋回レバー７Ｌ，７Ｒと、後述する左右引抜搬送装置４９Ｌ，４９Ｒの引抜作業高さを調節する調節レバー８と、該左右引抜搬送装置４９Ｌ，４９Ｒを作業状態と非作業状態とに切り替える作業クラッチレバー９と、機体の走行・停止を切り替えると共に走行速度を変速する走行クラッチレバー１０とを取り付けて操縦装置１１を構成する。
【００２３】
さらに、前記アッパーフレーム２の下端部よりも下方で且つメインフレーム１の上端部よりも上方位置にミッションケース６の左右出力軸１２，１２を延出し、該左右出力軸１２，１２に左右駆動スプロケット１３，１３を軸着する。そして、前記メインフレーム１の左右両側に取り付ける左右クローラフレーム１４，１４の後端部で且つ左右クローラフレーム１４，１４よりも下方に左右従動ローラ１５，１５を回転自在に取り付け、該左右クローラフレーム１４，１４の前端部に左右アイドルスプロケット１６，１６を回転時座に取り付けると共に、左右クローラフレーム１４，１４の底部に複数の左右転輪１７，１７・・・を取り付ける。さらに、前記左右駆動スプロケット１３，１３と左右従動ローラ１５，１５と左右アイドルスプロケット１６，１６と複数の左右転輪１７，１７・・・とに左右クローラベルト１８，１８を無端状に巻き掛けて、圃場を走行する左右走行クローラ１９Ｌ，１９Ｒが構成される。
【００２４】
そして、該左右走行クローラ１９Ｌ，１９Ｒの後方で且つメインフレーム１の左右後下部に左右補助走行輪１２６Ｌ，１２６Ｒを回転自在に取り付けることによって、走行車体Ａが構成される。
【００２５】
上記構成によれば、操縦装置１１を取り付けたアッパーフレーム２を、メインフレーム１の前部の左右一側で且つメインフレーム１よりも上方に取り付けたことによって、操縦装置１１を構成する操縦席４に搭乗する操縦者は高い位置から圃場に植生する玉葱Ｏや左右引抜搬送装置４９Ｌ，４９Ｒの引抜搬送始端部を見ながら作業をすることができるので、左右引抜搬送装置４９Ｌ，４９Ｒ引抜搬送始端部を玉葱Ｏの植生する位置に合わせて確実に収穫できるため、作業能率が向上すると共に、抜き残した玉葱Ｏを人手で引き抜く作業が省略されるので、作業者の労力が軽減される。
【００２６】
また、アッパーフレーム２の下端部よりも下方で且つメインフレーム１の上端部よりも上方位置に延出させたミッションケース６の左右出力軸１２，１２に左右走行クローラ１９Ｌ，１９Ｒの左右駆動スプロケット１３，１３を軸着したことによって、左右走行クローラ１９Ｌ，１９Ｒの地上高を機体が畝を跨いで走行可能してもメインフレーム１やミッションケース６の底部が畝に接触しない高さに設定することができるので、メインフレーム１やミッションケース６の底部が畝に接触して畝を壊したり、メインフレーム１やミッションケース６自体が破損することが防止され、機体の耐久性が向上する。
【００２７】
また、メインフレーム１やミッションケース６の底部が圃場に植生する玉葱Ｏに接触して傷つけることが防止されるので、玉葱Ｏの商品価値が維持される。
さらに、左右クローラフレーム１４，１４の後端部に左右従動スプロケット１５，１５を左右クローラフレーム１４，１４よりも下方に設けたことによって、アッパーフレーム２側の走行クローラ１９Ｌがアッパーフレーム２にもメインフレーム１にも接触しない構成となるので、機体を安定して走行させることができ、作業能率が向上する。
【００２８】
そして、左右走行クローラ１９Ｌ，１９Ｒの後方で且つインフレーム１の左右後下部に左右補助走行輪１２６Ｌ，１２６Ｒを取り付けたことによって、左右補助走行輪が機体後部に掛かる荷重を受けるため、後述する補助作業座席１２１に選別作業等を行う補助作業者が着座したり、選別搬送コンベア１１６や収容部Ｇの容器１２２に玉葱Ｏが投入されたりしても安定した走行ができるので、作業の安全性が向上する。
【００２９】
なお、本実施例では機体の走行を左右走行クローラ１９Ｌ，１９Ｒによって行っているが、チェーンケース等を介して複数の車輪を回転自在に取り付ける構成としてもよい。
次に、接地装置Ｂについて説明する。
【００３０】
図２及び図３で示すように、前記メインフレーム１の左右一側前端部に支持フレーム２０を取り付け、メインフレーム１の機体左右方向において略中間部に第１支持プレート２１を取り付ける。そして、支持フレーム２０の下端部に第１伝動ケース２２の上端部を取り付け、該第１伝動ケース２２下部の入力軸を走行クローラ１９Ｒのアイドルスプロケット１６の内側に軸着すると共に、第１伝動ケース２２上部で且つ機体内側に中間伝動軸２３の一端を軸着する。また、該中間伝動軸２３の他端を第２伝動ケース２４の上部に軸着し、該第２伝動ケース２４は中間伝動軸２３を回動支点として上下方向に回動自在に構成する。さらに、前記第１支持プレート２１の下端部に第２支持プレート２５の上端部を取り付け、該第２支持プレート２５の下部と第２伝動ケース２４の下部との間で且つ後述する左右引抜搬送装置４９Ｌ，４９Ｒの引抜搬送始端部の後側にマルチフィルムを上方から接地させる複数の剥離規制ローラ２６・・・を機体左右方向に移動自在に軸着した接地シャフト２７を第２伝動ケース２４から駆動力を受けて回転するように取り付けて、接地装置Ｂが構成される。
【００３１】
上記構成によれば、走行クローラ１９Ｒを構成するアイドルスプロケット１６から駆動力により複数の剥離規制ローラ２６・・・を軸着した接地シャフト２７が回転することによって、圃場に敷設したマルチフィルムの下に石や土塊があったり、圃場に大きな起伏があったりしても、複数の剥離規制ローラ２６・・・が回転しながらマルチフィルムを確実に接地させることができるため、玉葱Ｏと共に引き抜かれたマルチフィルムが左右引抜搬送装置４９Ｌ，４９Ｒ絡み付いて故障させたり作業を中断させたりすることが防止されるので、作業能率が向上すると共に機体の耐久性が向上する。
【００３２】
また、第２伝動ケース２４が中間伝動軸２３を回動支点として上下方向に回動自在に構成されていることによって、マルチフィルムを敷設した圃場では第２伝動ケース２４を下方回動させて複数の剥離規制ローラ２６・・・を圃場面に接触させ、露地圃場では第２伝動ケース２４を上方回動させて複数の剥離規制ローラ２６を圃場面に接触させないようにすることができるので、マルチフィルムを敷設した圃場では左右引抜搬送装置４９Ｌ，４９Ｒでマルチフィルムを引き抜いてしまうことが防止されて作業能率や機体の耐久性が向上すると共に、マルチフィルムを敷設しない露地圃場では複数の剥離規制ローラ２６・・・を圃場に接触させないことによって、走行にかかる抵抗が低減するので作業能率が向上する。
【００３３】
そして、複数の剥離規制ローラ２６・・・を接地シャフト２７に機体左右方向に移動自在に軸着したことによって、圃場に植生する玉葱Ｏの品種や育ち方に合わせて剥離規制ローラ２６同士の間隔を変更することができるので、マルチフィルムが玉葱Ｏと共に左右引抜搬送装置４９Ｌ，４９Ｒによって引き抜かれ、左右引抜搬送装置４９Ｌ，４９Ｒに絡み付いて故障させたり作業を中断させたりすることが防止されるので、作業能率が向上すると共に機体の耐久性が向上する。
【００３４】
本実施例は接地装置Ｂを１基（玉葱Ｏ２条分に対応）設けた状態を開示しているが、例えば玉葱Ｏを４条同時に引き抜く玉葱収穫機であれば、接地装置Ｂをもう１基設ける構成としてもよい。
【００３５】
なお、従来のマルチフィルムを敷設した圃場から野菜を引き抜く際、マルチフィルムが野菜ごと持ち上げられないように、上方からマルチフィルムを抑える複数のマルチ押さえローラを備えた野菜収穫機は、圃場の凹凸等により機体の走行に追従して回転せず、機体の走行を妨げてしまうという問題点があると共に、圃場の凹凸等によりマルチフィルムに十分な押圧力を与えられず、引抜搬送装置が野菜ごとマルチフィルムを引き抜いてしまい、マルチフィルムを引抜搬送装置に詰まらせてしまうという問題点があった。
【００３６】
次に、収穫搬送装置Ｃについて説明する。
図１、図４〜図９、図１２、図１４及び図１６で示すように、メインフレーム１の上部にエンジン５の動力を伝達する伝動フレーム２８を取り付け、該伝動フレーム２８の機体前側に左右出力軸２９Ｌ，２９Ｒと中央出力軸２９Ｃの基部を夫々取り付ける。そして、該左右出力軸２９Ｌ，２９Ｒの端部に左右伝動ケース３０Ｌ，３０Ｒを取り付けると共に、中央出力軸２９Ｃの端部に中央伝動ケース３０Ｃを取り付ける。また、該左右伝動ケース３０Ｌ，３０Ｒの出力軸に夫々駆動プーリ３１Ｌ，３１Ｒを軸着すると共に、中央伝動ケース３０Ｃの２本の出力軸に夫々駆動プーリ３１ＣＬ，３１ＣＲを軸着する。さらに、該駆動プーリ３１Ｌ，３１Ｒ，３１ＣＬ，３１ＣＲの上部から機体前方に亘って搬送カバー３２，３２，３２，３２を取り付けると共に、該搬送部カバー３２，３２，３２，３２の前端部に従動プーリ３３，３３，３３，３３を取り付ける。
【００３７】
そして、前記搬送カバー３２，３２，３２，３２のうち、機体内側の左右搬送カバー３２，３２の機体前側で且つ機体外側部に左右内側挟持補助フレーム３４，３４を機体前後方向に亘って取り付け、該左右内側挟持補助フレーム３４，３４に複数の内側挟持補助ローラ３５・・・を回転自在に取り付ける。また、前記左右内側挟持補助フレーム３４，３４の後部に左右内側テンションフレーム３６，３６を取り付け、該左右内側テンションフレーム３６，３６の機体外側部に複数の内側テンションローラ３７・・・を取り付ける。なお、前記左右内側挟持補助フレーム３４，３４の先端部を従動プーリ３３，３３の溝部に接触させて配置すると、左右内側挟持補助フレーム３４，３４が従動プーリ３３，３３の溝部に詰まった泥土や茎葉等を取るスクレーパとなるため、メンテナンス性が向上する。さらに、前記駆動プーリ３１ＣＬ，３１ＣＲと従動プーリ３３，３３と内側挟持補助ローラ３５・・・と内側テンションローラ３７・・・とに左右内側挟持搬送ベルト３８，３８を無端状に巻き掛ける。そして、該左右内側挟持搬送ベルト３８，３８の挟持搬送作用面側で左右内側テンションフレーム３６，３６の下面で且つ挟持搬送後部寄りに挟持搬送される玉葱Ｏを調整装置Ｃに高さを揃えながら送る送り爪部材３９，３９を夫々取り付ける。
【００３８】
そして、機体外側の左右搬送カバー３２，３２の機体前側に左右外側挟持補助フレーム４０，４０を回動支点Ｐを支点に機体左右方向に回動自在に取り付け、該左右外側挟持補助フレーム４０，４０の機体内側部に複数の外側挟持補助ローラ４１・・・を回転自在に取り付けると共に、機体外側部に左右外側挟持補助フレーム４０，４０を開閉する左右開閉レバー４２，４２を機体左右方向に回動自在に取り付ける。また、前記左右外側挟持補助フレーム４０，４０の後部に左右外側テンションフレーム４３，４３を取り付け、該左右外側テンションフレーム４３，４３に複数の外側テンションローラ４４・・・を回転自在に取り付ける。さらに、前記駆動プーリ３１Ｌ，３１Ｒと従動プーリ３３，３３と外側挟持補助ローラ４１・・・と外側テンションローラ４４・・・とに左右外側挟持搬送ベルト４５，４５を無端状に巻き掛ける。また、左右両外側の従動プーリ３３，３３の軸の下部に左右スターホイル４６，４６を取り付け、左右内側テンションフレーム３６，３６の下部を連結プレート４７で連結すると共に、該連結プレート４７とメインフレーム１との間に電動シリンダ４８を伸縮自在且つ機体前後方向に回動自在に取り付ける。さらに、該左右外側挟持搬送ベルト４５，４５の挟持搬送作用面側で左右外側テンションフレーム４３，４３の下面で且つ挟持搬送後部寄りに挟持搬送される玉葱Ｏを調整装置Ｄに高さを揃えながら送る送り爪部材３９，３９を夫々取り付けて、左右引抜搬送装置４９Ｌ，４９Ｒが構成される。なお、前記電動シリンダ４８は、油圧シリンダやエアシリンダ等の伸縮部材に置き換えても構わない。
【００３９】
なお、本実施例は玉葱を圃場から２条ずつ引き抜き収穫するため上記構成としているが、例えば４条ずつ引き抜く場合は、左右引抜搬送装置４９Ｌ，４９Ｒを一対追加すればよく、さらに条数を増やしたいときは、その数に応じて左右引抜搬送装置４９Ｌ，４９Ｒを追加すればよい。
【００４０】
そして、前記前記メインフレーム１の前側から左右引抜搬送装置４９Ｌ，４９Ｒの引抜搬送始端部に向けて引起し支持フレーム５０を前下がり傾斜姿勢に取り付け、該引起し支持フレーム５０の基部側に振動装置５１と伸縮自在な電動シリンダ５４とを取り付ける。また、前記ミッションケース６の伝動軸を振動装置５１に取り付ける。また、該振動装置５１に振動フレーム５２を機体上下方向に回動自在に取り付けると共に、該振動フレーム４８に土中の玉葱Ｏの周囲の土を掘り解す平面視で逆Ｔ字型のソイラ５３を取り付ける。
【００４１】
さらに、前記電動シリンダ５４の下部に屈曲自在なゲージ輪アーム５５を取り付けると共に、該ゲージ輪支持アーム５５の前端部外側にゲージ輪５６を回転自在に取り付ける。前記電動シリンダ５４は、油圧シリンダやエアシリンダ等の伸縮部材に置き換えても構わない。
【００４２】
また、前記ミッションケース６に引起し伝動シャフト５７を機体前側に向けて取り付け、該引起し伝動シャフト５７の端部を左右引抜搬送装置４９Ｌ，４９Ｒの上方に機体左右方向に配置する引起し伝動ケース５８に取り付ける。また、左右引起しケース６２Ｌ，６２Ｒ及び中央引起しケース６２Ｃの上側内部に引起し駆動スプロケット６０を夫々内装し、該引起しケース６２Ｌ，６２Ｒ，６２Ｃの下側内部に引起し従動スプロケット６１を夫々内装するとともに、該引起し駆動スプロケット６０と引起し従動スプロケット６１との間に引起しチェーン５９を無端状に巻き掛ける。
【００４３】
そして、該引起しチェーン５９に複数のラグベース６３ｂ・・・の取付部を、取付穴６３ｇに取付ピン６３ｈを通して取り付け、該ラグベース６３ｂの取付部の反対側に螺子穴を設け、嵌合ボルト６３ｃの基部側に刻んだ螺子溝をラグベース６３ｂの螺子穴に螺合させるとともに、該嵌合ボルト６３ｃをナット６３ｄで固定する。また、該嵌合ボルト６３ｃの先端部と基部側との間に一または複数の、先端部に向かうほど嵌合ボルト６３ｃの径よりも小径になるテーパ形状の溝部６３ｅを形成する。そして、前記嵌合ボルト６３ｃに、内側に嵌合ボルト６３ｃと略同径の空間部６３ｆを基部から端部に亘って形成し、基部と先端部との中間付近から先端部にかけて上方傾斜する形状の、樹脂等の硬質部材で形成する硬質引起し爪６３ａａを取り付けることによって、引起しラグ６３ｘが構成される。
【００４４】
そして、前記左右引起しケース６２Ｌ，６２Ｒの下部内側面から左右引起し従動スプロケット６１，６１に左右伝動軸１３２Ｒ，１３２Ｌの一端を軸着し、該左右伝動軸１３２Ｌ，１３２Ｒの他端を左右補助引起しケース１３３Ｌ，１３３Ｒの下側に内装する左右補助従動スプロケット１３４Ｌ，１３４Ｒに軸着する。また、該左右補助引起しケース１３３Ｌ，１３３Ｒの上側に左右補助駆動スプロケット１３５Ｌ，１３５Ｒを回転自在に内装するとともに、該左右補助駆動スプロケット１３５Ｌ，１３５Ｒと左右補助従動スプロケット１３４Ｌ，１３４Ｒに左右補助引起しチェーン１３６Ｒ，１３６Ｌを無端状に巻き掛ける。
【００４５】
さらに、該左右補助引起しチェーン１３６Ｒ，１３６Ｌに該引起しチェーン５９に複数のラグベース６３ｂ・・・の取付部を、取付穴６３ｇに取付ピン６３ｈを通して取り付け、該ラグベース６３ｂの取付部の反対側に螺子穴を設け、嵌合ボルト６３ｃの基部側に刻んだ螺子溝をラグベース６３ｂの螺子穴に螺合させるとともに、該嵌合ボルト６３ｃをナット６３ｄで固定する。また、該嵌合ボルト６３ｃの先端部と基部側との間に一または複数の、先端部に向かうほど嵌合ボルト６３ｃの径よりも小径になるテーパ形状の溝部６３ｅを形成する。そして、前記嵌合ボルト６３ｃに、内側に嵌合ボルト６３ｃと略同径の空間部６３ｆを基部から端部に亘って形成し、基部と先端部との中間付近から先端部にかけて上方傾斜する形状の、ゴム等の軟質な弾性体から形成する軟質引起し爪６３ａｂを取り付けて構成する複数の補助引起しラグ６３ｙ・・・を装着することによって、左右補助引起し装置１３７Ｌ，１３７Ｒが構成される。
【００４６】
また、前記中央引起しケース６２Ｃの下部左右両側面に引起し従動スプロケット６１に軸着した中央伝動軸１３２Ｃを延出させ、該中央伝動軸１３２Ｃの左右両端に一対の中央補助引起しケース１３３ＣＬ，１３３ＣＲの下部に内装する中央補助従動スプロケット１３４ＣＬ，１３４ＣＲを夫々軸着する。そして、該中央補助引起しケース１３３ＣＬ，１３３ＣＲの上側に中央補助駆動スプロケット１３５ＣＬ，１３５ＣＲを夫々回転自在に内装するとともに、該中央補助駆動スプロケット１３５ＣＬ，１３５ＣＲと中央補助従動スプロケット１３４ＣＬ，１３４ＣＲとの間に中央補助引起しチェーン１３６ＣＬ，１３６ＣＲを夫々無端状に巻き掛ける。さらに、該中央補助引起しチェーン１３６ＣＬ，１３６ＣＲに複数の補助引起しラグ６３ｙ・・・を装着することによって、中央補助引起し装置１３７ＣＬ，１３７ＣＲが構成されるとともに、左右及び中央引起し装置６４Ｌ，６４Ｒ，６４Ｃが左右挟持搬送装置４９Ｌ，４９Ｒの上方に構成される。
【００４７】
なお、補助引起しラグ６３ｙの左右補助引起しケース１３３Ｌ，１３３Ｒ及び中央補助引起しケース１３３ＣＬ，１３３ＣＲからの突出長さｓ１は、引起しラグ６３ｘの左右引起しケース６２Ｌ，６２Ｒ及び中央引起しケース６２Ｃからの突出長さｓ２よりも長いものとし、補助引起しラグ６３ｙが引起しラグ６３ｘよりも先に玉葱Ｏの茎葉部を引き起こす構成とすると、マルチフィルム上に茎葉部が倒伏していても、マルチフィルムを破ることなく茎葉部を引き起こして硬質引起し爪６３ａａに茎葉部を引き継がせることができ、破れたマルチフィルムが左右引起し装置６４Ｌ，６４Ｒ及び中央引起し装置６４Ｃや左右補助引起し装置１３７Ｌ，１３７Ｒ及び左右補助引起し装置１３７ＣＬ，１３７ＣＲや左右引抜搬送装置４９Ｌ，４９Ｒに巻き込まれて詰まってしまうことによる作業の中断がなくなり、作業能率が向上する。
【００４８】
さらに、補助引起しラグ６３ｙを構成する軟質引起し爪６３ａｂで茎葉部を引き起こし、引起しラグ６３ｘを構成する硬質引起し爪６３ａａに引き継がせることにより、茎葉部が左右及び中央引起し装置６４Ｌ，６４Ｒ，６４Ｃや左右及び中央補助引起し装置１３７Ｌ，１３７Ｒ，１３７ＣＬ，１３７ＣＲから脱落するのを防止することができるので、左右引抜搬送装置４９Ｌ，４９Ｒが茎葉部を掴み損ないにくくなり、作業者が引き抜き作業後に抜き残された玉葱Ｏを手作業で引き抜く作業が省略されて作業者の労力が軽減される。
【００４９】
また、左右補助引起し装置１３７Ｌ，１３７Ｒは、左右伝動軸１３２Ｌ，１３２Ｒを左右引起しケース６２Ｌ，６２Ｒの下部外側面から左右引起し従動スプロケット６１，６１に装着することにより、左右引起しケース６２Ｌ，６２Ｒの外側面に設ける構成とすると、玉葱Ｏから離間した位置で茎葉部を持ち上げることができるので、軽い力で茎葉部を引き起こして左右引抜搬送装置４９Ｌ，４９Ｒに引き継ぐことができ、茎葉部を掴み損ない引き抜かれなかった玉葱Ｏを作業者が収穫作業後に手作業で引き抜く作業が省略されるため、作業者の労力が軽減される。
【００５０】
そして、左右及び中央引起し装置６４Ｌ，６４Ｒ，６４Ｃの引起し駆動スプロケット６０，６０，６０を、前記伝動ケース５８に内装する伝動軸５８ａに軸着して機体上下方向に回動自在に装着する。さらに、該左右及び中央引起し装置６４Ｌ，６４Ｒ，６４Ｃのうち、左右引起し装置６４Ｌ，６４Ｒの外側面に取り付ける左右引起しプレート６５，６５の外側に複数の穴部を形成し、この複数の穴部に上下方向に長穴を形成した左右引起し支持アーム６６，６６を合わせてボルト等の固定部材で取り付けると共に、該引起し支持アーム６６，６６の端部を前記引起し支持フレーム５０に取り付ける。また、前記左右及び中央引起し装置６４Ｌ，６４Ｒ，６４Ｃの下部に玉葱Oの茎葉部を持ち上げる分草体６７，６７，６７を取り付けると共に、該分草体６７，６７，６７に茎葉部を掻き分けて後方に送る掻分部材６８，６８，６８を取り付けることにより、収穫搬送装置Ｃが構成される。
【００５１】
上記構成によれば、夫々内側挟持搬送ベルト３８と外側挟持搬送ベルト４５で玉葱Ｏを引き抜いて搬送する左右一対の引抜搬送装置４９Ｌ，４９Ｒを設けたことによって、２条の玉葱Ｏを引き抜いても引抜搬送装置４９Ｌ，４９Ｒには夫々１条分の玉葱Ｏの茎葉部が挟持されるだけであるので、引抜搬送装置４９Ｌ，４９Ｒに玉葱Ｏの茎葉部が詰まることが防止され、作業能率が向上すると共に、作業者が詰まった茎葉を取り除く作業が省略されるので、作業者の労力が軽減される。
【００５２】
また、左右引抜搬送装置４９Ｌ，４９Ｒの内側の駆動を中央伝動ケース３０Ｃの２本の出力軸に夫々軸着した駆動プーリ３１ＣＬ，３１ＣＲによって行うことにより、機体の伝動構成を簡易できると共に部品点数を削減することができるので、省資源化を図ることができる。
【００５３】
さらに、複数の内側挟持補助ローラ３５・・・を機体外側部に取り付けた左右内側挟持補助フレーム４０，４０と、複数の外側挟持補助ローラ４１・・・を機体内側部に取り付けた左右外側挟持補助フレーム４０，４０とを設けたことによって、玉葱Ｏの茎葉部を挟持して圃場から引き抜く左右引抜搬送装置４９Ｌ，４９Ｒの挟持搬送始端側の挟持力を強くすることができるので、玉葱Ｏの抜き残しが少なくなり作業能率が向上すると共に、作業者が手作業で抜き残された玉葱Ｏを収穫する作業が省略されるので、作業者の労力が軽減される。
【００５４】
そして、左右外側挟持補助フレーム４０，４０を回動支点Ｐを支点として機体左右方向に回動自在に設けたと共に、左右開閉レバー４２，４２を機体左右方向に回動自在に取り付けたことによって、作業者は左右開閉レバー４２，４２を機体外側に回動させて引けば左右外側挟持補助フレーム４０，４０を機体外側方向に動かして左右引抜搬送装置４９Ｌ，４９Ｒの挟持搬送始端側の挟持状態を解除することができるので、玉葱Ｏの茎葉部や石等の夾雑物を左右引抜搬送装置４９Ｌ，４９Ｒの挟持搬送始端側で噛み込んでしまっても、作業者は簡単に噛み込み状態を解消して収穫作業に戻ることができるので作業能率が向上する。また、作業時には左右開閉レバー４２，４２を機体内側に回動させておくと、左右開閉レバー４２，４２が引抜搬送作業の邪魔にならないので、作業能率が向上する。
【００５５】
また、土中の玉葱Ｏの周囲の土を掘り解すソイラ５３を取り付けたことによって、土質の硬い圃場であっても玉葱Ｏを引き抜きやすくすることができるので、玉葱Ｏの抜き残しが少なくなり作業能率が向上すると共に、作業者が手作業で抜き残された玉葱Ｏを収穫する作業が省略されるので、作業者の労力が軽減される。さらに、引き抜きの際に左右引抜搬送装置４９Ｌ，４９Ｒにかかる負荷が軽減されるので、左右引抜搬送装置４９Ｌ，４９Ｒを構成する各部材の耐久性が向上し、機体寿命が長くなる。
【００５６】
そして、玉葱Ｏの茎葉部を引き起こす硬質引起し爪６３ａａおよび軟質引起し爪６３ａｂの空間部６３ｆをラグベース６３ｂに取り付けた嵌合ボルト６３ｃに差し込んで取り付けることによって、硬質引起し爪６３ａａおよび軟質引起し爪６３ａｂが破損、老朽化した際に容易に交換することができるので、メンテナンス性が向上するとともに作業能率が向上する。
【００５７】
また、硬質引起し爪６３ａａおよび軟質引起し爪６３ａｂを基部と先端部との中間付近から先端部にかけて上方傾斜する形状としたことによって、引き起こした茎葉部が硬質引起し爪６３ａａおよび軟質引起し爪６３ａｂの先端部から滑り落ちることが防止されるので、玉葱Ｏの抜き残しが少なくなり作業能率が向上すると共に、作業者が手作業で抜き残された玉葱Ｏを収穫する作業が省略されるので、作業者の労力が軽減される。
【００５８】
さらに、嵌合ボルト６３ｃの先端部と基部との間に一または複数の溝部６３ｅを形成したことによって、嵌合ボルト６３ｃに取り付けた硬質引起し爪６３ａａおよび軟質引起し爪６３ａｂに茎葉部を引き起こす抵抗力がかかって引っ張られても、溝部６３ｅに引起し爪６３ａが引っ掛かるため、引起し爪６３ａが作業中に外れることが防止されるので、左右引抜搬送装置４９Ｌ，４９Ｒが茎葉部を掴み損なうことが防止され、作業者が収穫作業後に圃場に残った玉葱Ｏを引き抜く作業が省略されて作業者の労力が軽減される。
【００５９】
なお、溝部６３ｅを先端部側ほど嵌合ボルト６３ｃの径よりも小径となるテーパ形状とすると、引起し爪６３ａを取り付ける際に溝部６３ｅに引っ掛かることを防止できるので取付作業が容易になり、作業能率が向上するとともに、上記のように茎葉部を引上げる抵抗力によって硬質引起し爪６３ａａおよび軟質引起し爪６３ａｂが作業中に外れることを防止できるので、左右引抜搬送装置４９Ｌ，４９Ｒが茎葉部を掴み損なうことが防止され、作業者が収穫作業後に圃場に残った玉葱Ｏを引き抜く作業が省略されて作業者の労力が軽減される。
【００６０】
また、図９で示すように、嵌合ボルト６３ｃの先端部を、嵌合ボルト６３ｃの基部の径、および硬質引起し爪６３ａａと軟質引起し爪６３ａｂとに形成する空間部６３ｆの径よりも大径に形成してもよい。この構成では一度嵌合ボルト６３ｃに硬質引起し爪６３ａａおよび軟質引起し爪６３ａｂを取り付けると、上述の溝部６３ｅをテーパ形状にするよりも大きな抵抗力に耐えることができ、硬質引起し爪６３ａａおよび軟質引起し爪６３ａｂが外れることをより強固に防止できる。
【００６１】
硬質引起し爪６３ａａおよび軟質引起し爪６３ａｂを差し込む嵌合ボルト６３ｃをラグベース６３ｂにナット６４ｄで固定していることによって、破損や作業条件の変化等によって硬質引起し爪６３ａａおよび軟質引起し爪６３ａｂを交換する際、ナット６４ｄを緩めて嵌合ボルト６３ｃをラグベース６３ｂから外し、別の硬質引起し爪６３ａａおよび軟質引起し爪６３ａｂを差し込んだ嵌合ボルト６３ｃに取り替えることができるので、作業能率が向上する。特に、上述のように溝部６３ｅをテーパ形状とした場合、嵌合ボルト６３ｃから引起し爪６３ａを取り外しにくくなるので、予め引起し爪６３ａを嵌合ボルト６３ｃに取り付けて交換用としておくと、作業能率が向上するとともに、無理な力をかけて引起し爪６３ａを外す必要がなくなるので、引起し爪６３ａを嵌合ボルト６３ｃから外す際の破損を防止できる。
【００６２】
さらに、引起しラグ６３を複数取り付けた中央補助引起し装置１３７ＣＬ，１３７ＣＲを中央引起しケース６２Ｃの前部左右両側に夫々着脱自在に取り付けるとともに、引起しラグ６３を複数取り付けた左右補助引起し装置１３２Ｌ，１３２Ｒを左右引起しケース６２Ｌ，６２Ｒの前部内側面に夫々着脱自在に取り付けたことによって、左右及び中央引起しケース６２Ｌ，６２Ｒ，６２Ｃの引起しラグ６３が引き起こした玉葱Ｏの茎葉部を、左右補助引起し装置１３７Ｌ，１３７Ｒと中央補助引起し装置１３７ＣＬ，１３７ＣＲとの引起しラグ６３が玉葱Ｏに近い比較的強度の高い茎葉部を確実に引き継ぎ、茎葉部を確実に左右挟持搬送装置４９Ｌ，４９Ｒに引き継がせるので、左右引抜搬送装置４９Ｌ，４９Ｒが茎葉部を掴み損なうことが防止され、作業者が収穫作業後に圃場に残った玉葱Ｏを引き抜く作業が省略されて作業者の労力が軽減される。
【００６３】
また、機体左右両外側の引起しケース５８，５８の機体外側部に複数の穴部を形成し、この複数の穴部に上下方向に長穴を形成した左右引起し支持アーム６６，６６を合わせて取り付けることによって、左右及び中央引起し装置６４Ｌ，６４Ｒ，６４Ｃの作業高さを作業条件に合わせて変更することができるので、様々な作業の適応性が向上し、作業能率が向上する。
【００６４】
次に、調製装置Ｄについて説明する。
図１７〜図２２に示すように、前記メインフレーム１の上部で且つ左右引抜搬送装置４９Ｌ，４９Ｒの搬送経路下方に夫々左根切フレーム６９Ｌ，６９Ｌと右根切フレーム６９Ｒ，６９Ｒとを機体左右方向に所定間隔離間させて着脱自在に配置する。また、該左右根切フレーム６９Ｌ，６９Ｌ、６９Ｒ，６９Ｒの前側上部に左駆動プーリ７０Ｌ，７０Ｌと右駆動プーリ７０Ｒ，７０Ｒとを軸着した左右駆動シャフト７１，７１を回転自在に取り付け、後側上部に左従動プーリ７２Ｌ，７２Ｌと右従動プーリ７２Ｒ，７２Ｒとを軸着した左右従動シャフト７３，７３を回転自在に取り付けると共に、左右根切フレーム６９Ｌ，６９Ｌ、６９Ｒ，６９Ｒの下部に複数の左右テンションローラ７４Ｌ，７４Ｒ・・・を回転自在に取り付ける。また、該左駆動プーリ７０Ｌ，７０Ｌと左従動プーリ７２Ｌ，７２Ｌと複数の左テンションローラ７４Ｌ・・・とに塩ビ、ゴム等の軟質部材で構成する左根切搬送ベルト７５Ｌ，７５Ｌを無端状に巻き掛けると共に、右駆動プーリ７０Ｒ，７０Ｒと右従動プーリ７２Ｒ，７２Ｒと複数の右テンションローラ７４Ｒ・・・とに塩ビ、ゴム等の軟質部材で構成する右根切搬送ベルト７５Ｒ，７５Ｒを無端状に巻き掛ける
そして、前記左右根切フレーム６９Ｌ，６９Ｌ、６９Ｒ，６９Ｒの前側から左右駆動プーリ７０Ｌ，７０Ｌ、７０Ｒ，７０Ｒの搬送方向に対して前後方向略中央部に亘って玉葱Ｏの根部を下方に引き込んで揃える左右一対の根部揃えローラ７６Ｌ，７６Ｒを夫々回転自在に取り付ける。このとき、左右根部揃えローラ７６Ｌ，７６Ｒの機体上下方向において下端部を、左右根切フレーム６９Ｌ，６９Ｌ、６９Ｒ，６９Ｒの上端部に近接させて配置する。
【００６５】
そして、該根部揃えローラ７６Ｌ，７６Ｒと左右根切搬送ベルト７５Ｌ，７５Ｌ、７５Ｒ，７５Ｒとの上下間隔部で且つ根部揃えローラ７６Ｌ，７６Ｒの後側上方に左右根切搬送ベルト７５Ｌ，７５Ｌ、７５Ｒ，７５Ｒによって搬送される玉葱Ｏの根部を切断する左右回転刃７７，７７を回転自在に取り付けると共に、該左右回転刃７７，７７の上部に搬送方向後部ほど根部揃えローラ７６Ｌ，７６Ｒの中心部に切断作用部がオーバーラップしている玉葱Ｏの根部を切断する固定刃７８，７８を取り付けて、左右根部処理装置７９Ｌ，７９Ｒが構成される。このとき、根部揃えローラ７６Ｌ，７６Ｒの後端部は、回転刃７７，７７及び固定刃７８，７８の後端部よりも機体前側に位置するように配置する。
【００６６】
なお、固定刃７８，７８の代わりに回転刃７７，７７を設けてもよい。また、固定刃７８，７８の切断作用部で且つ根部揃えローラ７６Ｌ，７６Ｒの外側部に、玉葱Ｏの根部を切断せずに左根切フレーム６９Ｌ，６９Ｌと右根切フレーム６９Ｒ，６９Ｒとの間の空間部上方まで案内するガイドカバー８０，８０を取り付けてもよい。
【００６７】
さらに、図１９及び図２０で示すように、左右根部揃えローラ７６Ｌ，７６Ｒの機体前側部分をテーパ形状とすると、玉葱Ｏの根部が太さに係らず左右根部揃えローラ７６Ｌ，７６Ｒの間に入り込むため、玉葱Ｏの根部が左右根部揃えローラ７６Ｌ，７６Ｒに確実に引き込まれて整えられるので、根部を確実に切断でき、作業能率が向上すると共に作業者が手作業で玉葱Ｏの根部を除去する労力が軽減される。また、左右根部揃えローラ７６Ｌ，７６Ｒの先端部に左右ガイド１０４，１０４，１０４，１０４を取り付けると、上記効果がいっそう向上する。
【００６８】
また、図２０及び図２１に示すように、前記搬送カバー３２，３２，３２，３２のうち、左右両外側の搬送カバー３２，３２の内側下部に押圧フレーム８１，８１，８１，８１を機体上下方向に回動自在に取り付ける。そして、該押圧フレーム８１，８１，８１，８１に、押圧フレーム８１，８１，８１，８１の回動支点を兼ねる駆動軸８２，８２，８２，８２を夫々回転自在に取り付け、該駆動軸８２，８２，８２，８２に駆動プーリ８３，８３，８３，８３を夫々軸着する。また、該駆動プーリ８３，８３，８３，８３と前記左右根部処理装置７９Ｌ，７９Ｒを構成する左右駆動シャフト７１，７１の左右両側端部に軸着した出力プーリ８４，８４，８４，８４とに連繋伝動ベルト８５，８５，８５，８５を無端状に巻き掛ける。
【００６９】
さらに、前記駆動軸８２，８２，８２，８２の両外側端に押圧駆動プーリ８６，８６，８６，８６を軸着し、押圧フレーム８１，８１，８１，８１との前側端部に第１押圧従動プーリ８７，８７，８７，８７を回転自在に取り付け、後側端部に第２押圧従動プーリ８８，８８，８８，８８を回転自在に取り付けると共に、該第１押圧従動プーリ８７，８７，８７，８７と第２押圧従動プーリ８８，８８，８８，８８の前後間で且つ上部位置に第３押圧従動プーリ８９，８９，８９，８９を回転自在に取り付ける。
【００７０】
そして、該第１押圧従動プーリ８７，８７，８７，８７と第２押圧従動プーリ８８，８８，８８，８８と第３押圧従動プーリ８９，８９，８９，８９とに玉葱Ｏを根部処理装置７９Ｌ，７９Ｒに押圧する押圧ベルト９０，９０，９０，９０を巻き掛けると共に、該押圧ベルト９０，９０，９０，９０の搬送作用面側を前記押圧駆動プーリ８６，８６，８６，８６で押圧することによって、左右押圧搬送装置９１Ｌ，９１Ｒが構成される。
【００７１】
なお、押圧フレーム８１，８１，８１，８１を搬送カバー３２，３２，３２，３２に着脱自在に取り付けることによって、根部処理が必要ない場合や、強い圧力をかけると傷んでしまう品種の玉葱Ｏを収穫する際に左右押圧搬送装置９１Ｌ，９１Ｒを外しておくことができるので、様々な作業条件に対応できて作業能率が向上し、省エネルギー化を図ることができると共に、玉葱Ｏが傷付くことが防止されて玉葱Ｏの商品価値が維持される。
【００７２】
また、図２０及び図２２に示すように、前記伝動フレーム２８の機体後側に左右後部出力軸９２Ｌ，９２Ｒと中央後部出力軸９２Ｃの基部を夫々取り付け、該左右後部出力軸９２Ｌ，９２Ｒの端部に左右後部伝動ケース９３Ｌ，９３Ｒを取り付けると共に、中央後部出力軸９２Ｃの端部に中央後部伝動ケース９３Ｃを取り付ける。そして、該左右後部伝動ケース９３Ｌ，９３Ｒの出力軸に排葉駆動プーリ９４Ｌ，９４Ｒを軸着すると共に、中央後部伝動ケース９３Ｃの２本の出力軸に排葉駆動プーリ９４ＣＬ，９４ＣＲを夫々軸着する。さらに、該排葉駆動プーリ９４Ｌ，９４Ｒ，９４ＣＬ，９４ＣＲの上部から機体前側に亘って排葉カバー９５，９５，９５，９５を取り付け、該排葉カバー９５，９５，９５，９５の前端部で且つ左右押圧搬送装置９１Ｌ，９１Ｒの終端部上方に排葉従動プーリ９６，９６，９６，９６を回転自在に取り付ける。
【００７３】
また、排葉カバー９５，９５，９５，９５の下面で且つ排葉駆動プーリ９４Ｌ，９４Ｒ，９４ＣＬ，９４ＣＲと排葉従動プーリ９６，９６，９６，９６との間にとの前後間に伝動プーリ９７，９７，９７，９７を回転自在に取り付けると共に、該伝動プーリ９６，９６，９６，９６に伸縮自在な回転軸９８，９８，９８，９８を軸着すると共に、該回転軸９８，９８，９８，９８の下端部に玉葱Ｏの茎葉部を切断する茎葉切断刃９９，９９，９９，９９を軸着する。さらに、前記排葉駆動プーリ９４ＣＬ，９４ＣＲを設けた機体内側の排葉カバー９５，９５の下面で且つ前記伝動プーリ９６，９６よりも後方に左右テンションプーリ１００，１００を機体左右方向に所定間隔を開けて回転自在に取り付ける。
【００７４】
そして、前記機体外側の排葉駆動プーリ９４Ｌ，９４Ｒと排葉従動プーリ９６，９６と伝動プーリ９７，９７とに外側排葉搬送ベルト１０１ｏ，１０１ｏを無端状に巻き掛け、機体内側の排葉駆動プーリ９４ＣＬ，９４ＣＲと排葉従動プーリ９６，９６と伝動プーリ９７，９７とに内側排葉搬送ベルト１０１ｉ，１０１ｉを無端状に巻き掛けると共に、前記左右テンションプーリ１００，１００で該内側排葉搬送ベルト１０１ｉ，１０１ｉを機体内側から機体外側方向に張圧することにより、左右排用搬送装置１０２Ｌ，１０２Ｒを構成する。
【００７５】
なお、機体左右方向に所定間隔を開けて取り付けた左右テンションプーリ１００，１００によって内側排葉搬送ベルト１０１ｉ，１０１ｉを機体内側から機体外側方向に張圧して形成した空間部Ｖに、収穫搬送装置Ｃにエンジン５の駆動力を伝動する中央出力軸２９Ｃを通過させると、機体の伝動構成を複雑化することなく駆動力を機体各部に伝動することができるので、機体構成の簡易化や部品点数の削減による省資源化が図られる。
【００７６】
さらに、該排葉搬送装置１０２Ｌ，１０２Ｒの後端部に、前記茎葉切断刃９９，９９，９９，９９によって切断された玉葱Ｏの茎葉部を排出する排葉シュータ１０３を機体外側方向に下り傾斜姿勢で取り付けることによって、根部処理装置７９Ｌ，７９Ｒと左右押圧搬送装置９１Ｌ，９１Ｒと左右排葉搬送装置１０２Ｌ，１０２Ｒから、玉葱Ｏの根部や茎葉部を除去する調製装置Ｄが構成される。
【００７７】
上記構成によれば、左根切フレーム６９Ｌ，６９Ｌと右根切フレーム６９Ｒ，６９Ｒとを機体左右方向に所定間隔離間させて空間部Ｑを構成したことによって、玉葱Ｏの根部が空間部Ｑを通過するため、根部が根部処理装置７９Ｌ，７９Ｒの作用範囲の外に逃げるのを防止することができるので、根部を確実に切断でき、作業能率が向上すると共に作業者が手作業で玉葱Ｏの根部を除去する労力が軽減される。加えて、左根切フレーム６９Ｌ，６９Ｌと右根切フレーム６９Ｒ，６９Ｒとが切断された根部が左根切搬送ベルト７５Ｌ，７５Ｌ及び右根切搬送ベルト７５Ｒ，７５Ｒの巻回域内に入り込むことを防止すると共に、下方に落下するガイドとなることによって、左根切搬送ベルト７５Ｌ，７５Ｌ及び右根切搬送ベルト７５Ｒ，７５Ｒの巻回域内に根部を巻き込むことなどによる故障が防止されると共に、切断された茎葉を根部処理装置７９Ｌ，７９Ｒの下方に集めて容易に廃棄できるので、メンテナンス性が向上する。
【００７８】
また、切断された根部を空間部Ｑから下方に落下させることができるので、切断された根部が飛散することが防止され、根部を巻き込むことなどによる故障が防止されると共に、切断された茎葉を容易に集めて廃棄できるので、メンテナンス性が向上する。
【００７９】
さらに、左根切フレーム６９Ｌ，６９Ｌと右根切フレーム６９Ｒ，６９Ｒとをメインフレーム１に着脱自在に取り付けて、根部処理装置７９Ｌ，７９Ｒを着脱自在に構成すると、根切り作業を人手で行いたい場合や根部を残したまま収穫したい場合等の作業条件に合わせた作業を行うことができると共に、根部処理に必要な動力が不要となるので省エネルギー化を図ることができる。
【００８０】
そして、左右根切フレーム６９Ｌ，６９Ｌ、６９Ｒ，６９Ｒの前側から左右駆動プーリ７０Ｌ，７０Ｌ、７０Ｒ，７０Ｒの搬送方向に対して前後方向略中央部に亘って玉葱Ｏの根部を下方に引き込んで揃える左右根部揃えローラ７６Ｌ，７６Ｒを取り付け、根部揃えローラ７６Ｌ，７６Ｒの後側上方に回転刃７７，７７を取り付けると共に、左右回転刃７７，７７の上部に搬送方向後部ほど根部揃えローラ７６Ｌ，７６Ｒの中心部に切断作用部がオーバーラップしている玉葱Ｏの根部を切断する固定刃７８，７８を取り付けたことによって、根部を根部揃えローラ７６Ｌ，７６Ｒによって十分に下方に引き込んで揃えてから切断するため、根部が根部処理装置７９Ｌ，７９Ｒの作用範囲の外に逃げるのを防止することができるので、根部を確実に切断でき、作業能率が向上すると共に作業者が手作業で玉葱Ｏの根部を除去する労力が軽減される。
【００８１】
また、左右根部揃えローラ７６Ｌ，７６Ｒの後端部が回転刃７７，７７及び固定刃７８，７８の後端部よりも機体前側にあることによって、切断された根部が回転刃７７，７７及び固定刃７８，７８の後端部に挟まって作業を停止させることが防止されるので、作業能率が向上する。
【００８２】
さらに、左右根部揃えローラ７６Ｌ，７６Ｒの下端部を左右根切フレーム６９Ｌ，６９Ｌ、６９Ｒ，６９Ｒの上端部に近接させて配置したことによって、左右根部揃えローラ７６Ｌ，７６Ｒに玉葱Ｏと共に搬送されてきた泥土や茎葉部の破片等の夾雑物が付着しても、左右根切フレーム６９Ｌ，６９Ｌ、６９Ｒ，６９Ｒの上端部を泥土や茎葉部の破片等の夾雑物を削ぎ落とすスクレーパとして作用させることができるので、左右根部揃えローラ７６Ｌ，７６Ｒが常に玉葱Ｏの根部を下方に引き込んでまとめることのできる状態に保たれ、作業能率が向上すると共に、根部を確実に切断でき、作業者が手作業で玉葱Ｏの根部を除去する労力が軽減される。
【００８３】
また、左右押圧搬送装置９１Ｌ，９１Ｒが左右駆動軸８２，８２，８２，８２を回動支点として機体上下方向に回動自在に構成されたことによって、玉葱Ｏの大きさや形状に応じて左右押圧搬送装置９１Ｌ，９１Ｒが自動的に上下動するため、左右押圧搬送装置９１Ｌ，９１Ｒと根部処理装置７９Ｌ，７９Ｒとの間に玉葱Ｏが詰まることを防止できるので、作業能率が向上する。
【００８４】
そして、左右押圧搬送装置９１Ｌ，９１Ｒの駆動力を、根部処理装置７９Ｌ，７９Ｒの左右出力プーリ８４，８４，８４，８４から押圧駆動プーリ８６，８６，８６，８６で受けて得ることによって、伝動部品を減らすことができるので省資源化が図られると共に、機体構成が簡単になりメンテナンス性が向上する。
【００８５】
さらに、押圧ベルト９０，９０，９０，９０の搬送作用面側を押圧駆動プーリ８６，８６，８６，８６で押圧することによって、テンションプーリが不要となるので、省資源化を図ることができる。
【００８６】
また、玉葱Ｏの茎葉部を切断する茎葉切断刃９９，９９，９９，９９を伸縮自在な回転軸９８，９８，９８，９８の下端部に軸着したことによって、茎葉部を残さずに玉葱Ｏを収穫する場合は回転軸９８，９８，９８，９８を伸ばして茎葉部全体を切断できると共に、茎葉部をワイヤー等に吊るして乾燥させるために茎葉部を残して切断する場合は、回転軸９８，９８，９８，９８を縮めて茎葉部の上部だけを切断することができるので、収穫作業後の乾燥作業方法に応じた収穫を行えて作業能率が向上すると共に、茎葉部を前部切断して乾燥作業を行う場合、作業者が手作業で茎葉部を除去する必要がなくなるので、作業者の労力が軽減される。
【００８７】
そして、左右排葉搬送装置１０２Ｌ，１０２Ｒの機体内側の駆動を中央後部伝動ケース９３Ｃの２本の出力軸に夫々軸着した排葉駆動プーリ９４ＣＬ，９４ＣＲによって行うことにより、機体の伝動構成を簡易できると共に部品点数を削減することができるので、省資源化を図ることができる。
【００８８】
さらに、左右押圧搬送装置９１Ｌ，９１Ｒの搬送終端部上方に左右排葉搬送装置１０２Ｌ，１０２Ｒの搬送始端部を配置すると共に、左右押圧搬送装置９１Ｌ，９１Ｒの搬送終端部と左右排葉搬送装置１０２Ｌ，１０２Ｒの搬送始端部との後方に茎葉切断刃９９，９９，９９，９９を配置したことによって、玉葱Ｏの茎葉部が左右排葉搬送装置１０２Ｌ，１０２Ｒに挟持される前に左右押圧搬送装置９１Ｌ，９１Ｒが玉葱Ｏを押圧するため、玉葱Ｏの根部を根部処理装置７９Ｌ，７９Ｒで確実に切断することができるので、作業能率が向上すると共に作業者が手作業で玉葱Ｏの根部を除去する労力が軽減される。
【００８９】
また、玉葱Ｏが根部処理装置７９Ｌ，７９Ｒに押さえ付けられた状態で左右排葉搬送装置１０２Ｌ，１０２Ｒは玉葱Ｏの茎葉部を挟持するため、適切な位置で茎葉部を切断することができるので、玉葱Ｏを傷つけることが防止され、玉葱Ｏの商品価値が維持される。
【００９０】
次に、貯留部Ｅについて説明する。
図１、図２、図４、図１１〜図１５に示すように、前記根部処理装置７９Ｌ，７９Ｒの搬送終端部よりも後方で、左右排葉搬送装置１０２Ｌ，１０２Ｒの搬送終端部下方で且つメインフレーム１上に機体前後方向において後下がり傾斜姿勢で且つ根部処理装置７９Ｌ，７９Ｒの左右幅と略同じ左右幅の引継シュータ１０５を取り付けると共に、該引継シュータ１０５よりも後方で且つメインフレーム１上に引継シュータ１０５の左右幅と略同じ左右幅の玉葱Ｏを貯留するホッパ１０６を取り付ける。そして、該ホッパ１０６の機体外側底部に機体内側方向に下方傾斜すると共に、内側端部に下方に屈曲した屈曲部１０７ａを形成した底板１０７の基部を取り付け、該底板１０７の基部を回動中心として開閉自在に構成する。
【００９１】
また、前記ホッパ１０６の機体内側底部にホッパ１０６から落下する玉葱Ｏを畝上で且つ玉葱Ｏの既堀側に案内する案内プレート１０８の基部を取り付け、該案内プレート１０８の基部を回動支点として端部を機体上下方向に回動自在に構成することにより、貯留部Ｅが構成される。
【００９２】
なお、本実施例では底板１０７を開閉自在に構成しているが、底板１０７を着脱する構成としてもよい。
上記構成によれば、ホッパ１０６を取り付けたことによって、収穫された玉葱Ｏの数が多いときでもホッパ１０６内に玉葱Ｏを貯留しておくことができるので、選別作業を追いつかせるために左右引抜搬送装置４９Ｌ，４９Ｒや根部処理装置７９Ｌ，７９Ｒを一時停止させて玉葱Ｏの収穫作業を中断する必要がなくなるので、作業能率が向上する。
【００９３】
また、底板１０７は機体内側方向に下方傾斜しているので、底板１０７に乗った玉葱Ｏは後述する選別搬送コンベア１１６の搬送始端部に向かって自動的に滑り降りて移動することができるので、玉葱Ｏが少ないとき、玉葱Ｏが貯留部Ｅに滞留することが防止され、作業能率が向上する。
【００９４】
加えて、底板１０７の機体内側端部に下方に屈曲した屈曲部１０７ａを形成することによって、上述の滞留防止効果がいっそう高められ、作業能率もまたいっそう向上する。
なお、屈曲部１０７ａと選別搬送コンベア１１６との間に玉葱Ｏが落下しない程度の空間部Ｗを形成することによって、玉葱Ｏに付着していた泥土等を圃場に落下させることができるので、選別搬送コンベア１１６や収容部Ｇに泥土等が付着しにくくなり、作業後の掃除にかかる労力が軽減される。
【００９５】
そして、底板１０７が開閉自在に取り付けられていることによって、玉葱Ｏを収容部Ｇで回収する場合には底板１０７を閉じてホッパ１０６から玉葱Ｏを貯留すると共に、玉葱Ｏを畝上で乾燥させて後からドーザー等で回収する場合には底板１０７を開いてホッパ１０６から玉葱Ｏを畝上に落下するように切り替えることができるので、玉葱Ｏの品種や圃場の状態等に合わせた作業を行え、作業能率が向上すると共に、玉葱Ｏの品質が向上する。
【００９６】
また、案内プレート１０８が機体上下方向に回動自在に取り付けられていることによって、案内プレート１０８を回動させることにより、玉葱Ｏを玉葱Ｏを引き抜き収穫した後の畝上に案内することができるので、落下の勢いで玉葱Ｏが畝上から畝溝に転がり落ちることを防止でき、畝溝に落ちた玉葱Ｏを左右走行クローラ１９Ｌ，１９Ｒが踏み潰してしまうことが防止され、玉葱Ｏの商品価値が維持されると共に、左右走行クローラ１９Ｌ，１９Ｒで玉葱Ｏを踏み潰すことを未然に防ぐために、機体を停止させて作業者が玉葱Ｏを手作業で拾い集める作業が省略されるので、作業者の労力が軽減される。
【００９７】
また、畝の未収穫側に植生している玉葱Ｏの上にホッパ１０６から落下する玉葱Ｏが衝突することを防止できるので、落下した玉葱Ｏと未収穫側に植生している玉葱Ｏとが落下時の衝突で互いに傷付くことが防止され、玉葱Ｏの商品価値が維持されると共に、未収穫側の畝上に落下した玉葱Ｏが、未収穫側に植生している玉葱Ｏの茎葉部を押し倒してしまい、未収穫側の玉葱Ｏを左右引抜搬送装置４９Ｌ，４９Ｒによって引き抜きにくくなることが防止されるので、この未収穫側の玉葱Ｏを円滑に引き抜くことができ、作業能率が向上する。
【００９８】
次に、選別搬送装置Ｆについて説明する。
図１、図２、図１１、図１３及び図１５に示すように、前記ホッパ１０６の機体内側端部よりも機体内側に前後選別搬送フレーム１０９Ｆ，１０９Ｒを機体上方に向かって取り付け、該前後選別搬送フレーム１０９Ｆ，１０９Ｒの下端側の前後間に駆動ローラ１１０を回転自在に取り付けると共に、前後選別搬送フレーム１０９Ｆ，１０９Ｒのいずれかに該駆動ローラ１１０を回転させる駆動モータ１１１を取り付ける。そして、前記前後選別搬送フレーム１０９Ｆ，１０９Ｒの上端側の前後間に従動ローラ１１２を回転自在に取り付けると共に、該従動ローラ１１２と駆動ローラ１１０とに玉葱Ｏを搬送する選別搬送ベルト１１３を無端状に巻き掛ける。該選別搬送ベルト１１３の表面には、玉葱Ｏが下方に落下することを防止する複数の突起体１１４・・・を形成する。
【００９９】
また、前記選別搬送ベルト１１３の巻回域内で且つ駆動ローラ１１０と従動ローラ１１２との上下間に、選別搬送ベルト１１３の弛みを防止する複数のテンションプレート１１５・・・を取り付けて、上面が開放された選別搬送コンベア１１６が構成される。
【０１００】
そして、該選別搬送コンベア１１６の搬送終端部に排出シュータ１１７を取り付け、選別搬送コンベア１１６よりも機体後方に補助作業者が選別作業等を行うと共に、玉葱Ｏを収容する容器１２２である箱型のコンテナ１２２ａやフレキシブルコンテナ１２２ｂ、その他の収穫作業に必要な道具等を載置する後部ステップ１１９を選別搬送コンベア１１６の搬送始端部近傍からメインフレーム１の収穫搬送装置Ｃを設けた外側端部に亘って取り付ける。さらに、ステップ１１９の後部で且つ選別搬送コンベア１１６の搬送始端部よりも後方位置に側面視コの字形状の補助座席フレーム１２０を取り付けると共に、該補助座席フレーム１２０の上部の選別搬送コンベア１１６方向に近接した突出部に補助作業者が着座して玉葱Ｏの選別作業等を行う補助座席１２１を回転自在に取り付けることによって、選別搬送装置Ｆが構成される。
【０１０１】
上記構成によれば、選別搬送ベルト１１３の表面に複数の突起体１１４・・・を形成したことによって、玉葱Ｏが選別搬送コンベア１１６から落下することを防止できるので、落下の衝撃で玉葱Ｏが傷付くことが防止され、玉葱Ｏの品質が向上する。
【０１０２】
また、選別搬送コンベア１１６の上面が開放されていることによって、補助作業者は搬送中の玉葱Ｏを目視で不良品（傷物、腐れ物、小粒、奇形等）を選別して取り除くことができるので、作業後に別途不良品を取り除く作業が省略されるため、作業者の労力が軽減される。
【０１０３】
そして、補助作業座席１２１が補助座席フレーム１２０の上部の選別搬送コンベア１１６方向に近接した突出部に取り付けられていることによって、補助作業者は座ったまま玉葱Ｏの選別作業を行うことができるので、補助作業者の労力が軽減される。
【０１０４】
さらに、補助作業座席１２１が回転自在に取り付けられていることによって、補助作業者は補助作業座席１２１に座ったままステップ１１９に載置しているコンテナ１１９を収容部Ｇに載置することができるので、補助作業者の労力が軽減される。
【０１０５】
次に、収容部Ｇについて説明する。
図１１〜図１６に示すように、前記操縦装置１１の後方で選別搬送コンベア１１６の終端部下方で且つ左走行クローラ１９Ｌと左補助走行輪１２６Ｌの上方のメインフレーム１上に収容底板１２３を配置し、該収容底板１２３の前後端部に前後壁部材１２４Ｆ，１２４Ｒを取り付けると共に、選別搬送コンベア１１６の終端部下方位置に内側壁部材１２５を取り付ける。また、該前後壁部材１２４Ｆ，１２４Ｒの機体外側面に、機体上下方向に等間隔に取付フック１２７，１２７・・・を複数取り付けると共に、前後壁部材１２４Ｆ，１２４Ｒの機体外側面で且つ下端部に、容器１２２を載置する載置台１２８を外側端部が基部よりも上方に位置する傾斜状態に調節可能で且つ回動自在に取り付けて、積載キャリア１２９を構成する。
【０１０６】
さらに、該積載キャリア１２９の機体外側の開放部Ｓから箱型のコンテナ１２２ａを収容底板１２３上に載置し、必要であれば収容底板１２３上に載置したコンテナ１２２ａの上にコンテナ１１２ａを載置する。あるいは、前記選別搬送コンベア１１６を構成する前後選別搬送フレーム１０９Ｆ，１０９Ｒの上端部外側に前後吊下げアーム１３０Ｆ，１３０Ｒを回動自在に取り付け、該前後吊下げアーム１３０Ｆ，１３０Ｒに玉葱Ｏを収容する袋状のフレキシブルコンテナ１２２ｂ等の袋状の容器１２２を吊り下げ、前記積載キャリア１２９内に配置する。そして、積載キャリア１２９に載置したコンテナ１２２ａの上下高さ、あるいはフレキシブルコンテナ１２２の上下高さに合わせて、前記取付フック１２７，１２７・・・にコンテナ１２２ａやフレキシブルコンテナ１２２ｂ等の容器１２２の落下を防止する、着脱自在な支持板１３１を積載キャリア１２９の機体外側端部から外側方向へ所定の間隔をおいて取り付けることによって、収容部Ｇが構成される。
【０１０７】
なお、前後壁部材１２４Ｆ，１２４Ｒの上下高さは、補助座席１２１に着座した補助作業者の視点高さである約１１０〜１３０ｃｍよりも低く、且つ箱型のコンテナ１２２ａを３個上下方向に並べた高さである約９０〜１００ｃｍと略同程度にすると、補助作業者は補助座席１２１に着座したまま積載キャリア１２９内にあるコンテナ１２２ａやフレキシブルコンテナ１２２ｂに収容される玉葱Ｏの収容状態を確認することができるので、作業者に機体や左右引抜搬送装置４９Ｌ，４９Ｒの停止を促し、玉葱Ｏがコンテナ１２２ａやフレキシブルコンテナ１２２ｂ、もしくは積載キャリア１２９から溢れ出てしまうことを防止でき、落下の衝撃で玉葱Ｏが傷付くことが防止されて玉葱Ｏの商品価値が維持されると共に、機外に落下した玉葱Ｏを作業者及び補助作業者が拾い集める必要が無く、作業者の労力が軽減される。
【０１０８】
また、支持板１３１は、載置台１２８と機体前後方向の長さを略同じとし、外側端部位置を載置台１２８の外側端部位置に合わせると共に、内側にコンテナ１２２ａを載置可能な受け部を形成すると、コンテナ１２２ａ等の容器１２２の機外への落下を防止しつつ載置台１２８上にもコンテナ１２２ａを載置できると共に、フレキシブルコンテナ１２２ｂの容量を大きくすることができるので、一度の作業で回収できる玉葱Ｏの量が増え、作業能率が向上する。加えて、コンテナ１２２ａやフレキシブルコンテナ１２２ｂ等の容器１２２を頻繁に積載キャリア１２９から積み下ろす必要がなくなるので、作業者の労力が軽減される。
【０１０９】
そして、支持板１３１を積載キャリア１２９の外側端部から外側方向に取り付ける際の間隔は、コンテナ１２２ａの幅と略同じ長さとすることによって、積載キャリア１２９に複数個のコンテナ１２２ａを追加して積むことができるので、コンテナ１２２ａを機体から積み下ろす回数を減らすことができ、作業能率が向上すると共に作業者の労力が軽減される。加えて、コンテナ１２２ａの積載量が増加したことによって、玉葱Ｏを複数のコンテナ１２２ａに分けて収容することができるので、コンテナ１２２ａの底部に収容された玉葱Ｏが上側に積まれる玉葱Ｏの重量によって傷付くことが防止され、玉葱Ｏの商品価値が維持される。
【０１１０】
また、フレキシブルコンテナ１２２ｂを用いる場合は、コンテナ１２２ａの幅の分だけ大きなフレキシブルコンテナ１２２ｂを用いることができるので、一度に多くの玉葱Ｏを回収できるため、コンテナ１２２ａを機体から積み下ろす回数を減らすことができ、作業能率が向上すると共に作業者の労力が軽減される。
【０１１１】
なお、積載キャリア１２９に直接玉葱Ｏを投入する場合でも、積載キャリア１２９の容量が大きくなっているため、一度に多くの玉葱Ｏを収容することができるので、玉葱Ｏを積載キャリア１２９から排出する作業の回数を減らすことができ、作業能率が向上すると共に作業者の労力が軽減される。
【０１１２】
上記構成によれば、載置板１２８を回動自在に取り付けたことによって、収容底板１２３だけではコンテナ１２２ａを載置するスペースが足りなくなっても、延長底板１２４を展開してコンテナ１２２ａを載置することができるので、頻繁にコンテナ１２２ａを交換する必要が無くなり、作業者の労力が軽減されると共に、コンテナ１２２ａ交換のたびに機体をその場に停止させる必要がなくなるので、作業能率が向上する。
【０１１３】
また、フレキシブルコンテナ１２２ｂの前後幅及び左右幅が収容底板１２３の前後幅及び左右幅よりも大きな場合でも、載置板１２８を展開することによってフレキシブルコンテナ１２２ｂの全幅を収容底板１２３と延長底板１２４とで受けることができるので、玉葱Ｏをフレキシブルコンテナ１２２ｂの収容限度まで収容することができるので、頻繁にフレキシブルコンテナ１２２ｂを交換する必要が無くなり、作業者の労力が軽減されると共に、フレキシブルコンテナ１２２ｂ交換のたびに機体をその場に停止させる必要がなくなるので、作業能率が向上する。
【０１１４】
そして、作業終了後には載置板１２８を機体内側方向に回動させることによって、機体の左右幅を短くすることができるので、トラック等の搬送手段に積載する際に機体が荷台からはみ出すことが防止され、機体搬送作業の安全性が向上すると共に、倉庫等に機体を格納する際、余分なスペースを費やすことが防止される。
【０１１５】
さらに、載置台１２８を外側端部が基部よりも上方に位置する傾斜状態に調節可能であることによって、載置台１２８に載置されるコンテナ１２２ａは載置台１２８の傾斜に合わせて傾斜するため、コンテナ１２２ａが機体外側に移動して機外に落下することを防止できるので、落下の衝撃で玉葱Ｏが傷付くことが防止されて玉葱Ｏの商品価値が維持されると共に、作業者が玉葱Ｏやコンテナ１２２ａを拾い集める作業が省略されるので、作業者の労力が軽減される。
【０１１６】
また、載置台１２８の外側端部が基部よりも上方に位置していることによって、玉葱Ｏの茎葉部が載置台１２８に接触し、玉葱Ｏの茎葉部が載置台１２８に絡み付いて千切れてしまい、左右引抜搬送装置４９Ｌ，４９Ｒで引き抜けなくなることが防止できるので、作業者が引き抜かれなかった玉葱Ｏを野菜収穫機による収穫作業後に手作業で引き抜く作業を行う必要がなくなり、作業者の労力が軽減されると共に、作業能率が向上する。
【０１１７】
そして、前後壁部材１２４Ｆ，１２４Ｒの機体外側面に、機体上下方向に等間隔に取付フック１２７，１２７・・・を複数取り付けると共に、取付フック１２７，１２７・・・に着脱自在な支持板１３１を取り付けることによって、積み上げたコンテナ１２２ａの上下高さに合わせて、あるいはフレキシブルコンテナ１２２ｂの収容量に合わせて、コンテナ１２２ａやフレキシブルコンテナ１２２ｂ等の容器１２２が積載キャリア１２９の機体外側部の開放部Ｓ方向に移動することを規制するため、落下の衝撃で玉葱Ｏが傷付くことが防止されて玉葱Ｏの商品価値が維持されると共に、作業者が玉葱Ｏや容器１２２を拾う作業が省略されるので、作業者の労力が軽減される。
【０１１８】
また、積載キャリア１２９を構成する収容底板１２３が、左走行クローラ１９Ｌと左補助走行輪１２６Ｌとの上方に位置していることによって、積載キャリア１２９内に玉葱Ｏが収容され、積載キャリア１２９にかかる重量が増加しても機体のバランスを保つことができるので、機体の走行姿勢が安定して横転等の事故が起こりにくくなり、作業の安全性が向上する。
【０１１９】
さらに、左右引抜搬送装置４９Ｌ，４９Ｒの引抜位置がずれることを防止できるので、作業者は収穫されなかった玉葱Ｏを野菜収穫機による収穫作業後に手作業で引き抜く作業を行う必要がなくなり、作業者の労力が軽減されると共に、作業能率が向上する。
【０１２０】
なお、積載キャリア１２９は、コンテナ１２２ａやフレキシブルコンテナ１２２ｂ等の容器１２２を載置せず、直接玉葱Ｏを収容してもよい。
上記Ａ〜Ｇの構成によれば、前記アッパーフレーム２よりも上下方向において下方に位置するメインフレーム１上に収穫搬送装置Ｃと調製装置Ｄと貯留部Ｅと選別搬送装置Ｆと収容部Ｇとを設けたことによって、機体の上下高さを低くすることができるので、機体サイズがコンパクトになり、天井の低い倉庫等にも機体を収納することができるようになる。
【０１２１】
以下、本件玉葱Ｏの収穫機の別実施例を説明する。
図２３で示すように、茎葉部引起し作用面である硬質引起し爪６３ａａおよび軟質引起し爪６３ａｂの上部で且つ基部と先端部との間に、一または複数の突起１３８を形成しても良い。
【０１２２】
上記構成によれば、硬質引起し爪６３ａａおよび軟質引起し爪６３ａｂによって引き起こされた玉葱Ｏの茎葉部は突起１３８に引っ掛かるため、茎葉部が硬質引起し爪６３ａａおよび軟質引起し爪６３ａｂから脱落することを防止できるので、茎葉部が左右挟持搬送装置４９Ｌ，４９Ｒに確実に引き継がれ、玉葱Ｏの抜き残しが少なくなり作業能率が向上すると共に、作業者が手作業で抜き残された玉葱Ｏを収穫する作業が省略されるので、作業者の労力が軽減される。
【０１２３】
なお、突起１３８は硬質引起し爪６３ａａおよび軟質引起し爪６３ａｂの基部に向かって傾斜させると、茎葉部の引っ掛かりが良くなり、茎葉部の脱落をより確実に防止できる。
【０１２４】
図２４で示すように、左右及び中央引起しケース６２Ｌ，６２Ｒ，６２Ｃに引起し駆動プーリ１３９と引起し従動プーリ１４０を内装し、該引起し駆動プーリ１３９と引起し従動プーリ１４０とに、基部と先端部との中間付近から先端部にかけて上方傾斜する形状で、且つゴム等の弾性体で構成する複数の引起しラグ１４２・・・を形成した、ゴム等の弾性体で構成するラグ付ベルト１４１を無端状に巻き掛ける。そして、該複数の引起しラグ１４２・・・の内部に側面視Ｔ字形状の芯材１４３を、先端部が引起しラグ１４２の上方傾斜開始部分と略同じ箇所に位置するように夫々配置する。
【０１２５】
上記構成によれば、ラグ付ベルト１４１に形成した複数の引起しラグ１４２・・・の内部に夫々芯材１４３を設けたことによって、引起しラグ１４２が玉葱Ｏの茎葉部を引起す抵抗で撓み、茎葉部を脱落させてしまうことを防止できるので、茎葉部が左右挟持搬送装置４９Ｌ，４９Ｒに確実に引き継がれ、玉葱Ｏの抜き残しが少なくなり作業能率が向上すると共に、作業者が手作業で抜き残された玉葱Ｏを収穫する作業が省略されるので、作業者の労力が軽減される。
【０１２６】
また、芯材１４３の先端部が引起しラグ１４２の上方傾斜開始部分と略同じ位置に配置されることによって、引起しラグ１４２の先端部は弾性を保持し続けるので、圃場に敷設したマルチフィルムに接触してもマルチフィルムを破ることが防止されるので、破れたマルチフィルムが左右及び中央引起し装置６４Ｌ，６４Ｒ，６４Ｃや左右挟持搬送装置４９Ｌ，４９Ｒに詰まってしまうことにより作業が中断されることを防止できる。
【０１２７】
なお、図２５で示すように、芯材１４３の先端部を引起しラグ１４２の上方傾斜開始部分よりも先端側に延設し、延設部分を上方傾斜姿勢とすると、上方傾斜開始部分で茎葉部を引き起こす際、茎葉部の抵抗力によって上方傾斜部分が撓んで茎葉部を脱落させてしまうことを防止できるので、茎葉部が左右挟持搬送装置４９Ｌ，４９Ｒに確実に引き継がれ、玉葱Ｏの抜き残しが少なくなり作業能率が向上すると共に、作業者が手作業で抜き残された玉葱Ｏを収穫する作業が省略されるので、作業者の労力が軽減される。
【０１２８】
図２６で示すように、左右及び中央引起しケース１４４Ｌ，１４４Ｒ，１４４Ｃの上側に引起し駆動プーリ１４５ａと補助引起し駆動スプロケット１４６ａとを並べて夫々内装し、左右及び中央引起しケース１４４Ｌ，１４４Ｒ，１４４Ｃの下側に引起し従動プーリ１４５ｂと補助引起し従動スプロケット１４６ｂとを並べて夫々内装する。そして、該引起し駆動プーリ１４５ａと引起し従動プーリ１４５ｂとにゴム等の弾性体で構成する複数の引起しラグ１４７・・・を形成した引起しベルト１４８を夫々無端状に巻き掛けるとともに、該補助引起し駆動スプロケット１４６ａと補助引起し従動スプロケット１４６ｂとにプラスチック等の樹脂で構成される複数の補助引起しラグ１４９・・・を非作用域では収納されるように装着した補助引起しチェーン１５０を無端状に巻きかけて、左右及び中央引起し装置１５１Ｌ，１５１Ｒ，１５１Ｃを構成してもよい。
【０１２９】
なお、引起しラグ１４７と補助引起しラグ１４９とは、引起しラグ１４７が圃場面から玉葱Ｏの茎葉部を引き起こすとすぐに補助引き起こしラグ１４９が茎葉部を引き継ぐ間隔とすると、弾性体製で撓みやすい引起しラグ１４７から茎葉部が脱落する前に確実に樹脂製で撓まない補助引起しラグ１４９に引き継ぐことができるので、茎葉部が左右挟持搬送装置４９Ｌ，４９Ｒに確実に引き継がれ、玉葱Ｏの抜き残しが少なくなり作業能率が向上すると共に、作業者が手作業で抜き残された玉葱Ｏを収穫する作業が省略されるので、作業者の労力が軽減される。
【０１３０】
上記構成によれば、一つの引起しケースで圃場面から茎葉部を引き起こすとともに、引き起こした茎葉を引き継いで左右挟持搬送装置４９Ｌ，４９Ｒに引き継がせることができるので、部品点数を少なくでき、省資源化、コストダウンを図ることができる。
【０１３１】
なお、図２７で示すように、引起しラグ１４７を畝端側（機体外側）に配置し、補助引起しラグ１４９を畝内側（機体内側）配置すると、引起しラグ１４７が玉葱Ｏの茎葉部が畝端に垂れていても確実に引き起こすことができるので、茎葉部が左右挟持搬送装置４９Ｌ，４９Ｒに確実に引き継がれ、玉葱Ｏの抜き残しが少なくなり作業能率が向上すると共に、作業者が手作業で抜き残された玉葱Ｏを収穫する作業が省略されるので、作業者の労力が軽減される。
【０１３２】
図２８、図２９で示すように、引起し従動プーリ１５２ｂを、左右及び中央引起しケース６２Ｌ，６２Ｒ，６２Ｃの上下方向において略中間位置に回転自在に且つ前後方向に移動自在に夫々装着し、該引起し従動プーリ１５２ｂと、補助引起し従動スプロケット１４６ｂから駆動力を受ける引起し駆動プーリ１５２ａとの間にゴム等の弾性体で構成する複数の引起しラグ１５３・・・を形成した引起しベルト１５４を夫々無端状に巻き掛ける構成としてもよい。
【０１３３】
上記構成によれば、引起しベルト１５４の長さや引起しラグ１５３の形成数を減らすことができるので、省資源化やコストダウンを図ることができる。
また、引起しベルト１５４を回転させる引起し駆動プーリ１５２ａは、補助引起し従動スプロケット１４６ｂから駆動力を受けて回転するので、伝動構造を簡単にすることができるので、生産性やメンテナンス性が向上する。
【０１３４】
そして、引起し従動プーリ１５２ｂが前後方向に移動自在であることによって、引起しベルト１５４の傾斜角度を変更することができるので、引き起こした玉葱Ｏの茎葉部を引起しベルト１５４の引起しラグ１５３から後退させながら補助引起しチェーン１５０に取り付けた補助引起しラグ１４９に引き継がせることができ、茎葉部の引継ミスを減らすことができる。
【０１３５】
図３０、図３１で示すように、引起しチェーン５９に取り付けた複数のラグベース６３ｂ・・・に、軟質引起し爪６３ａｂと、該軟質引起し爪６３ａｂの長さＬ２よりも短い長さＬ１の硬質引起し爪６３ａａを交互に取り付ける構成としても良い。
【０１３６】
上記構成によれば、軟質引起し爪６３ａｂが玉葱Ｏの茎葉部を引き起こすとすぐに硬質引起し爪６３ａａが茎葉部を引き継ぐことができるので、茎葉部が左右挟持搬送装置４９Ｌ，４９Ｒに確実に引き継がれ、玉葱Ｏの抜き残しが少なくなり作業能率が向上すると共に、作業者が手作業で抜き残された玉葱Ｏを収穫する作業が省略されるので、作業者の労力が軽減される。
【０１３７】
また、一本の引起しチェーン５９に軟質引起し爪６３ａｂと硬質引起し爪６３ａａとを両方取り付けたことによって、部品点数を減らすことができるので、メンテナンス性が向上するとともに、部品点数やコストの削減が図られる。
【０１３８】
図３２、図３３で示すように、引起しチェーン５９に取り付けた複数のラグベース６３ｂ・・・に直線形状の硬質引起し爪１５５を取り付け、該硬質引起し爪１５５の先端部の上側に基部と先端部の略中間位置から先端部ほど上方に屈曲させた上方傾斜姿勢の弾性体引起し爪１５６を、取付プレート１５７を介して着脱自在に取り付ける構成としても良い。なお、取付プレート１５７も、硬質引起し爪１５５から着脱自在とする。
【０１３９】
上記構成によれば、弾性体引起し爪１５６で引き起こした玉葱Ｏの茎葉部をそのまま硬質引起し爪１５５に引き継がせることができるので、茎葉部が脱落することが防止されて玉葱Ｏの抜き残しが少なくなり、作業能率が向上すると共に、作業者が手作業で抜き残された玉葱Ｏを収穫する作業が省略されるので、作業者の労力が軽減される。
【０１４０】
また、弾性体引起し爪１５６が必ず先に茎葉部に作用するので、マルチフィルムに接触しても破ることが防止されるので、破れたマルチフィルムが左右及び中央引起し装置６４Ｌ，６４Ｒ，６４Ｃや左右挟持搬送装置４９Ｌ，４９Ｒに詰まってしまうことにより作業が中断されることを防止できる。
【０１４１】
そして、弾性体引起し爪１５６が硬質引起し爪１５５の上部にあることによって、硬質引起し爪１５５に引き継がれた茎葉部は弾性体引起し爪１５６の後端部に脱落を防止されるので、茎葉部が左右挟持搬送装置４９Ｌ，４９Ｒに確実に引き継がれ、玉葱Ｏの抜き残しが少なくなり作業能率が向上すると共に、作業者が手作業で抜き残された玉葱Ｏを収穫する作業が省略されるので、作業者の労力が軽減される。
【０１４２】
さらに、玉葱Ｏの茎葉部がマルチフィルム上に垂れていないときや、マルチフィルムを敷設していない露地圃場で作業する場合、硬質引起し爪１５５から弾性体引起し爪１５６と取付プレート１５７を取り外して作業することができるので、作業条件に合わせた適切な作業を行うことができ、作業能率が向上する。
【図面の簡単な説明】
【０１４３】
【図１】玉葱収穫機の側面図
【図２】玉葱収穫機の一部部材を除いた側面図
【図３】玉葱収穫機の平面図
【図４】玉葱収穫機の要部背面図
【図５】引起し装置の平面図
【図６】引起し装置の側面図
【図７】引起しラグ、補助引起しラグの分解側面図
【図８】引起しラグ、補助引起しラグの側面図
【図９】引起しラグ、補助引起しラグの別実施例の側面図
【図１０】引起し装置の別実施例の平面図
【図１１】収容部の要部背面図
【図１２】収容部を拡張した平面図
【図１３】収容部を拡張した要部背面図
【図１４】収容部を拡張し、フレキシブルコンテナを容器に用いた平面図
【図１５】収容部を拡張し、フレキシブルコンテナを容器に用いた要部背面図
【図１６】引抜搬送装置の平面図
【図１７】根部処理装置の背面図
【図１８】根部処理装置の側面図
【図１９】根部処理装置の平面図
【図２０】調製装置の要部側面図
【図２１】押圧搬送装置の要部正面図
【図２２】排葉搬送装置の要部平面図
【図２３】引起しラグ、補助引起しラグの別実施例の側面図
【図２４】引起し装置の別実施例の側面図
【図２５】引起し装置の別実施例の側面図
【図２６】引起し装置の別実施例の平面図
【図２７】引起し装置の別実施例の平面図
【図２８】引起し装置の別実施例の平面図
【図２９】引起し装置の別実施例の側面図
【図３０】引起し装置の別実施例の平面図
【図３１】引起し装置の別実施例の側面図
【図３２】引起しラグ、補助引起しラグの別実施例の側面図
【図３３】引起し装置の別実施例の平面図
【符号の説明】
【０１４４】
１                        メインフレーム（本体機枠）
４９Ｌ                    左引抜搬送装置（引抜搬送装置）
４９Ｒ                    右引抜搬送装置（引抜搬送装置）
５９                      引起しチェーン（引起し無端帯）
６２Ｃ                    中央引起しケース（引起しケース）
６２Ｌ，６２Ｒ            左右引起しケース（引起しケース）
６３ａａ                  硬質引起し爪（第１引起し作用部）
６３ａｂ                  軟質引起し爪（第２引起し作用部）
６３ｂ                    ラグベース（第１、第２基部）
６３ｘ                    引起しラグ
６３ｙ                    補助引起しラグ
６４Ｃ                    中央引起し装置（第２引起し装置）
６４Ｌ，６４Ｒ            左右引起し装置（第１引起し装置）
１３３ＣＬ，１３３ＣＲ    中央補助引起しケース（補助引起しケース）
１３３Ｌ，１３３Ｒ        左右補助引起しケース（補助引起しケース）
１３６ＣＬ，１３６ＣＲ    中央補助引起しチェーン（補助引起し無端帯）
１３６Ｌ，１３６Ｒ        左右補助引起しチェーン（補助引起し無端帯）
１３７Ｌ，１３７Ｒ        左右補助引起し装置（第１補助引起し装置）
１３７ＣＬ，１３７ＣＲ    中央補助引起し装置（第２補助引起し装置）
Ｏ                        玉葱（野菜）
【図１】
2010051244.tif 000003
【図２】
2010051244.tif 000004
【図３】
2010051244.tif 000005
【図４】
2010051244.tif 000006
【図５】
2010051244.tif 000007
【図６】
2010051244.tif 000008
【図７】
2010051244.tif 000009
【図８】
2010051244.tif 000010
【図９】
2010051244.tif 000011
【図１０】
2010051244.tif 000012
【図１１】
2010051244.tif 000013
【図１２】
2010051244.tif 000014
【図１３】
2010051244.tif 000015
【図１４】
2010051244.tif 000016
【図１５】
2010051244.tif 000017
【図１６】
2010051244.tif 000018
【図１７】
2010051244.tif 000019
【図１８】
2010051244.tif 000020
【図１９】
2010051244.tif 000021
【図２０】
2010051244.tif 000022
【図２１】
2010051244.tif 000023
【図２２】
2010051244.tif 000024
【図２３】
2010051244.tif 000025
【図２４】
2010051244.tif 000026
【図２５】
2010051244.tif 000027
【図２６】
2010051244.tif 000028
【図２７】
2010051244.tif 000029
【図２８】
2010051244.tif 000030
【図２９】
2010051244.tif 000031
【図３０】
2010051244.tif 000032
【図３１】
2010051244.tif 000033
【図３２】
2010051244.tif 000034
【図３３】
2010051244.tif 000035